(57)【要約】【課題】比較的発熱量が多い第２回路基板が発生する熱が台板に伝達されるのを抑制し、台板に支持する回路基板の温度上昇を抑制することができる光源装置及び表示装置を提供する。【解決手段】一面で光源を支持する略矩形の板部３１を有する支持体３の板部３１の他面に、回路基板１３を支持し一部が欠除された欠除部６６を有する台板６を取付け、板部３１における欠除部６６と対応する部分に第２回路基板１６を取付けることにより、第２回路基板１６が発生する熱が台板６に直接伝達されるのを防ぎ、台板６に支持する回路基板１３の温度上昇を抑制することができるようにした。【選択図】図１
2010073372.tif 000002
【特許請求の範囲】
【請求項１】
一面で光源を支持する略矩形の板部を有する支持体を備える光源装置において、前記板部の他面には、回路基板を支持し、一部が欠除された欠除部を有する台板を取付けてあり、前記板部における前記欠除部と対応する部分に第２回路基板を取付けてあることを特徴とする光源装置。
【請求項２】
前記台板は、離隔した位置で該台板を補強する二つの補強杆を取付けてあり、該補強杆夫々の間に前記欠除部を配してある請求項１記載の光源装置。
【請求項３】
前記欠除部の周縁部は前記補強杆夫々に結合されている請求項２記載の光源装置。
【請求項４】
前記欠除部の周縁は、前記台板の厚さ方向へ突出する凸条を有する請求項１から３のいずれか一つに記載の光源装置。
【請求項５】
前記欠除部は前記台板の周縁の一部に開放された凹形である請求項１から４のいずれか一つに記載の光源装置。
【請求項６】
前記欠除部は貫通する孔である請求項１から４のいずれか一つに記載の光源装置。
【請求項７】
前記第２回路基板を支持する第２台板を備え、該第２台板が前記板部に取付けられている請求項１から６のいずれか一つに記載の光源装置。
【請求項８】
表側に表示面を有する表示部と、該表示部の裏側に配された請求項１から７のいずれか一つに記載の光源装置とを備えることを特徴とする表示装置。
【発明の詳細な説明】
【技術分野】
【０００１】
本発明は液晶表示装置等の表示装置の光源として使用される光源装置及びこれを備える表示装置に関する。
【背景技術】
【０００２】
テレビジョン等の表示装置は、画像を表示する表示面を前側に有する表示部の後側に光源装置が配されている。
【０００３】
光源装置が使用される表示装置は、前側に表示面を有し、略直方体をなす表示パネルの後側に、該表示パネルを支持するフレームシャーシと、該フレームシャーシの後面に装着される複数の回路基板とを備える。フレームシャーシの後面には上下に離隔して二つの補強リブが平行的に取付けられ、前記後面における二つの補強リブ間に、前記後面と離隔して前記回路基板を配し、該回路基板の下縁と下側補強リブとの間に流入空間を設け、回路基板の上縁と上側補強リブとの間に流出空間を設けることにより、フレームシャーシの後面と回路基板との間に通気路を設け、流入空間に流入した空気を、通気路を経て流出空間から流出させることにより、回路基板が発生する熱を冷却するように構成されている（例えば、特許文献１参照。）。
【特許文献１】特開２００３−１７３１４７号公報
【発明の開示】
【発明が解決しようとする課題】
【０００４】
ところが、特許文献１のように構成された表示装置にあっては、フレームシャーシの後面と離隔して回路基板が配されているため、光源装置の薄型化に支障を来す。
【０００５】
本発明は斯かる事情に鑑みてなされたものであり、主たる目的は一面で光源を支持する略矩形の板部を有する支持体における前記板部の他面に、回路基板を支持し一部が欠除された欠除部を有する台板を取付け、前記板部における前記欠除部と対応する部分に第２回路基板を取付けることにより、該第２回路基板が発生する熱が台板に直接伝達されるのを防ぎ、台板に支持する回路基板の温度上昇を抑制することができる光源装置及び表示装置を提供することにある。
【課題を解決するための手段】
【０００６】
本発明に係る光源装置は、一面で光源を支持する略矩形の板部を有する支持体を備える光源装置において、前記板部の他面には、回路基板を支持し、一部が欠除された欠除部を有する台板を取付けてあり、前記板部における前記欠除部と対応する部分に第２回路基板を取付けてあることを特徴とする。
【０００７】
この発明にあっては、比較的発熱量が少ない回路基板を台板にて支持し、該台板の一部に欠除部を設け、板部における前記欠除部と対応する部分に比較的発熱量が多い第２回路基板を取付けて、第２回路基板が発生する熱が台板に直接伝達されるのを防ぐように構成されているため、第２回路基板が発生する熱によって回路基板の温度が上昇するのを抑制することができ、回路基板の耐久性、ひいては光源装置の耐久性を高めることができる。
【０００８】
また、本発明に係る光源装置は、前記台板は、離隔した位置で該台板を補強する二つの補強杆を取付けてあり、該補強杆夫々の間に前記欠除部を配してある構成とするのが好ましい。
この発明にあっては、二つの補強杆が台板と一体になり、該台板を補強してあるため、台板の曲げ弾性係数を補強杆により高めることができ、しかも、台板における第２回路基板周りの剛性を高めることができるため、第２回路基板を保護することができ、第２回路基板の耐久性、ひいては光源装置の耐久性を高めることができる。
【０００９】
また、本発明に係る光源装置は、前記欠除部の周縁部は前記補強杆夫々に結合されている構成とするのが好ましい。
この発明にあっては、欠除部の周縁部が補強杆と一体になり、欠除部の周縁部の剛性を高めることができるため、第２回路基板を保護することができ、第２回路基板の耐久性、ひいては光源装置の耐久性を高めることができる。
【００１０】
また、本発明に係る光源装置は、前記欠除部の周縁は、前記台板の厚さ方向へ突出する凸条を有する構成とするのが好ましい。
この発明にあっては、欠除部の周縁部の剛性を凸条にて高めることができるため、第２回路基板を保護することができ、第２回路基板の耐久性、ひいては光源装置の耐久性を高めることができる。
【００１１】
また、本発明に係る光源装置は、前記欠除部は前記台板の周縁の一部に開放された凹形である構成とするのが好ましい。
この発明にあっては、第２回路基板に接続される導線を欠除部の開放部分から接続することができるため、導線の接続作業性を高めることができる。
【００１２】
また、本発明に係る光源装置は、前記欠除部は貫通する孔である構成とするのが好ましい。
この発明にあっては、台板の欠除部による強度低下を抑制でき、台板の耐久性を高めることができる。
【００１３】
また、本発明に係る光源装置は、前記第２回路基板を支持する第２台板を備え、該第２台板が前記板部に取付けられている構成とするのが好ましい。
この発明にあっては、第２回路基板が板部と直接接触するのを防ぐことができるため、第２回路基板が発生する熱が板部に伝達されるのを抑制することができ、第２回路基板の耐久性、ひいては光源装置の耐久性を高めることができる。
【００１４】
また、本発明に係る表示装置は、表側に表示面を有する表示部と、該表示部の裏側に配される前述した発明の光源装置とを備えることを特徴とする。
この発明にあっては、比較的発熱量が少ない回路基板を台板にて支持し、該台板の一部に欠除部を設け、板部における前記欠除部と対応する部分に比較的発熱量が多い第２回路基板を取付けて、第２回路基板が発生する熱が台板に直接伝達されるのを防ぐように構成されるため、第２回路基板が発生する熱によって回路基板の温度が上昇するのを抑制することができ、回路基板の耐久性、ひいては表示装置の耐久性を高めることができる。
【発明の効果】
【００１５】
本発明によれば、比較的発熱量が多い第２回路基板が発生する熱が台板に直接伝達されるのを防ぐことができるため、第２回路基板が発生する熱によって回路基板の温度が上昇するのを抑制することができ、台板が支持する回路基板及び第２回路基板の耐久性、ひいては光源装置、表示装置の耐久性を高めることができる。
【発明を実施するための最良の形態】
【００１６】
以下本発明をその実施の形態を示す図面に基づいて詳述する。図１は表示装置に組込まれる光源装置の構成を示す背面図、図２は光源装置の台板を取外した状態の構成を示す背面図、図３は光源装置の台板から回路基板を取外した状態の構成を示す背面図、図４は光源装置の要部の構成を示す拡大断面図、図５は台板の構成を示す背面図、図６は光源装置の周縁部を省略した状態の拡大背面図、図７は光源装置の要部の構成を示す拡大背面図、図８は第２補強杆の構成を示す斜視図、図９は光源装置の光源部分の構成を示す模式的断面図、図１０は光源装置の構成を示す模式的断面図、図１１は光源の構成を示す模式的説明図である。
【００１７】
図示した光源装置は、前側に表示面を有し、略直方体をなす表示部を備える薄型の表示装置における表示部の後側に装着されるもので、碁盤目のように並置される複数の発光ダイオード１と、該発光ダイオード１を実装してある複数の発光ダイオード基板２と、該発光ダイオード基板２を並べて支持する支持体３と、発光ダイオード１が発光した光を横方向へ導く複数の導光板４と、該導光板４が導いた光を支持体３と反対方向へ反射させる複数の反射板５とを備える。
【００１８】
支持体３は金属板を成形してなり、略矩形をなす平板状の板部３１を有し、該板部３１の一面に複数の発光ダイオード基板２を長手方向及び幅方向に並べて支持してあり、該発光ダイオード基板２夫々と板部３１との間に、発光ダイオード１が発生した熱を発光ダイオード基板２から板部３１へ放熱する放熱板３０を介在してある。また、板部３１には該板部３１の長手方向に並置される発光ダイオード基板２同士を導線で接続するため複数の接続用孔３２と、導光板４夫々を個別に取付けるための複数の取付孔３３とが開設されている。また、板部３１の周縁部には板厚方向へ偏倚する段部３４が設けられており、該段部３４と発光ダイオード基板２との間に導光板４夫々の一部を支持する細長状の第１支持板１１が取付けられ、段部３４よりも周縁側に後記する光学シートを支持する細長状の第２支持板１２が取付けられる。
【００１９】
発光ダイオード基板２は略矩形をなし、一面に発光ダイオード１を実装してあり、板部３１の一面に並べて取付けられている。
【００２０】
導光板４は、入光面４ａと、該入光面４ａに入光した光を入光面４ａとほぼ直交する方向へ照射する出光面４ｂとを有し、発光ダイオード１の一側と対向する位置に入光面４ａを配し、前記表示部の後側の面と対向する位置に出光面４ｂを配してあり、出光面４ｂと反対側の面に反射板５が貼付けられている。
【００２１】
以上のように一面に発光ダイオード基板２が取付けられた板部３１の他面には、前記表示部に電源を供給する電源回路基板１３、及び前記表示部の表示面に表示される画像を処理する端子回路基板１４等の複数の回路基板を支持する台板６が支持され、該台板６に、台板６を補強する二つの補強杆７，７が取付けられている。また、板部３１の他面には、長手方向に比較的長い距離で離隔した位置で該板部３１を補強する二つの第２補強杆８，８と、該第２補強杆８，８と比較的短い距離で並置され、板部３１を補強する第４補強杆９，９と、第２補強杆８，８及び第４補強杆９，９の一端及び板部３１の長辺との間で第２補強杆８，８及び第４補強杆９，９の端部に結合され、板部３１を補強する第３補強杆１０との夫々を複数の間座部材６０を介して複数の雄螺子により取付けてある。
【００２２】
台板６は金属板を成形してなり、一面で電源回路基板１３及び端子回路基板１４を支持し、略矩形をなす支持板部６１と、該支持板部６１の長手方向両縁から一面側へ突出する二つの第１突片６２，６２及び第１突片６２，６２の先端から互いに外向きに突出する被取付部としての第２突片６３，６３と、支持板部６１の他の対向する二つの縁の一方から一面側へ突出する第３突片６４と、支持板部６１の他の対向する二つの縁の他方から他面側へ突出する第４突片６５とを有し、第２突片６３，６３が二つの第２補強杆８，８に雄螺子により取付けられ、第３突片６４が第３補強杆１０に雄螺子により取付けられ、第４突片６５が板部３１に雄螺子により取付けられている。
【００２３】
支持板部６１の長手方向両端間には、台板６を補強する二つの補強杆７，７が長手方向に離隔して取付けられており、該補強杆７，７の長手方向中間に、電源回路基板１３を支持する二つの固定杆１５，１５が取付けられており、支持板部６１の長手方向中央部で、補強杆７，７の間には制御回路基板１６に対応する欠除部６６が設けられている。
【００２４】
欠除部６６は支持板部６１の長辺に凹形に開放された貫通する孔であり、欠除部６６における周縁の対向する二つの縁部分が補強杆７，７に結合されている。欠除部６６にて露出する板部３１の露出位置には、比較的発熱量の多い制御回路基板１６を支持する第２台板１７が複数の雄螺子により取付けられている。また、欠除部６６における周縁の対向する二つの縁部には、台板６の一面側へ突出する凸条６７，６７が設けられている。
【００２５】
補強杆７，７は金属板を断面コ字形に成形してなり、支持板部６１の幅よりも若干短い長さに形成され、溝が支持板部６１と対向するように複数の雄螺子により支持板部６１に取付けられている。
【００２６】
固定杆１５は金属板を比較的細幅に成形してなり、板部３１の長手方向一側部に配してある第２補強杆８から一方の補強杆７を跨越して配されている他方の補強杆７に至る長さに形成されており、両端部と中間との三箇所に固定部が設けられている。固定杆１５は補強杆７，７の長手方向へ離隔して並置され、一端の固定部が第２補強杆８の長手方向中間に雄螺子にて取付けられ、他端の固定部及び中間の固定部が二つの補強杆７，７の長手方向中間に雄螺子にて取付けられており、二つの固定杆１５，１５における補強杆７，７間部分と、一方の第２補強杆８及び一方の補強杆７間部分とに電源回路基板１３が夫々取付けられている。
【００２７】
電源回路基板１３は一面に複数の部品が実装されている略四角形をなし、該電源回路基板１３の対向する両縁部夫々が固定杆１５，１５に雄螺子により取付けられている。
【００２８】
第２補強杆８は金属板を断面コ字形に成形してなり、板部３１の幅よりも短い長さに形成されている。一方の隣合う第２補強杆８及び第４補強杆９は、比較的短い離隔距離で板部３１の長手方向一側部に溝が板部３１と対向するように並置され、他方の隣合う第２補強杆８及び第４補強杆９は、比較的短い離隔距離で板部３１の長手方向他側部に溝が板部３１と対向するように並置されている。また、第２補強杆８及び第４補強杆９夫々の両端には挿通孔を有する被結合部を設けてある。
【００２９】
第３補強杆１０は金属板を断面コ字形に成形してなり、板部３１の長さよりも短い長さに形成され、両端部夫々に二つの被結合部が設けられている。第３補強杆１０は板部３１の縁よりも中央側へ離隔した位置に板部３１の長辺と平行的に配され、一端部の二つの被結合部が第２補強杆８及び第４補強杆９の一端部の被結合部に雄螺子により結合されているとともに、溝が板部３１と対向するように板部３１に固定されており、他端部の二つの被結合部が第２補強杆８及び第４補強杆９の一端部の被結合部に雄螺子により結合されているとともに、溝が板部３１と対向するように板部３１に固定されている。
【００３０】
板部３１の長手方向一側部に並置してある第２補強杆８及び第４補強杆９の間の板部３１には、発光ダイオード基板２に接続される電源回路基板１８が複数の雄螺子により取付けられており、板部３１の長手方向他側部に並置してある第２補強杆８及び第４補強杆９の間の板部３１には、発光ダイオード基板２に接続され、発光ダイオード１を制御する制御回路基板１９が複数の雄螺子により取付けられており、また、板部３１の長手方向中央で、第３補強杆１０と反対側には前記表示部を制御する制御回路基板１６が複数の雄螺子により取付けられている。
【００３１】
また、板部３１の長手方向一側部に並置してある第２補強杆８及び第４補強杆９には、電源回路基板１８を被覆し、該電源回路基板１８に対して電磁波を遮断するカバー２０が複数の雄螺子により取付けられており、板部３１の長手方向他側部に並置してある第２補強杆８及び第４補強杆９には、制御回路基板１９を被覆し、該制御回路基板１９に対して電磁波を遮断するカバー２１が複数の雄螺子により取付けられている。
【００３２】
以上のように構成された光源装置の支持体３は、比較的長い離隔距離で取付けられた二つの第２補強杆８，８が板部３１の長手方向両側にあり、この両側の第２補強杆８，８に台板６が取付けられ、台板６に二つの補強杆７，７が離隔して取付けられ、補強杆７と台板６と第２補強杆８とが板部３１と一体構造となり板部３１を補強しているため、平板状の支持体３の曲げ弾性係数を高めることができる。
【００３３】
台板６における補強杆７，７の間部分には欠除部６６を設けてあり、板部３１における欠除部６６と対応する部分に、比較的発熱量の多い制御回路基板１６を取付けてあり、制御回路基板１６が発生する熱が台板６に直接伝達されるのを防ぐように構成されているため、制御回路基板１６が発生する熱によって電源回路基板１３及び端子回路基板１４等の台板６に支持してある回路基板の温度が上昇するのを抑制することができる。
【００３４】
支持体３は、二つの第２補強杆８及び二つの第４補強杆９の一端に第３補強杆１０が結合され、一体構造のコ字形をなし、この一体構造の第２補強杆８、第４補強杆９及び第３補強杆１０が支持体３の板部３１に取付けられ該板部３１と一体構造になっているため、概ね平板状となる支持体３の曲げ弾性係数を十分に高めることができる。
【００３５】
また、第２補強杆８及び第４補強杆９は板部３１の長手方向一側部と他側部とに夫々二つを並置し、第２補強杆８及び第４補強杆９に電磁波遮断用のカバー２０，２１を取付けてあり、該カバー２０，２１が板部３１を補強しているため、支持体３の曲げ弾性係数をより一層高めることができる。
【００３６】
図１２は本発明に係る光源装置を備える表示装置の構成を示す断面図である。この表示装置は、テレビ画像を表示する表示面を前側に有する表示部４０と、該表示部４０の後側に配されている光源装置Ａと、表示部４０の周縁部及び光源装置Ａの後側を被覆するキャビネット４１とを備える。
【００３７】
表示部４０は、表示面を有する表示パネル４２と、該表示パネル４２の後側に配されている光学シート４３とを有する。表示パネル４２の周縁部は、前保持枠体４４と、後保持枠体４５とにより前後に挾着保持され、パネルモジュールを構成しており、後保持枠体４５が支持体３の周縁部に取付けられている。
【００３８】
光学シート４３は、光源としての発光ダイオード１が発光した光を拡散する比較的厚肉の二枚の拡散板４３ａと、反射偏光板、プリズムシート、拡散シート等の比較的薄肉の合成樹脂シート４３ｂが積層された積層体であり、拡散板４３ａの周縁部が第２支持板１２を介して支持体３の周縁部に支持されている。
【００３９】
キャビネット４１は、表示部４０の周縁部前側を被覆するキャビネット前分体４１ａと、光源装置Ａの周縁部及び後側を被覆する深皿形状のキャビネット後分体４１ｂとを有し、支持体３の周縁に雄螺子により取付けられている。
【００４０】
以上のように構成された表示装置の光源部には、制御回路基板１６を支持する支持体３の板部３１に第２補強杆８，８が取付けられ、この両側の第２補強杆８，８に台板６が取付けられ、台板６に二つの補強杆７，７が離隔して取付けられ、補強杆７と台板６と第２補強杆８とが板部３１と一体構造となり板部３１を補強しているため、平板状の支持体３の曲げ弾性係数を高めることができる。
【００４１】
図１３は本発明に係る光源装置の他の構成を示す背面図、図１４は台板の他の構成を示す背面図である。この光源装置は、台板６の欠除部６６を、支持板部６１の長辺と離隔した位置にて貫通する例えば四角形をなす孔としたものであり、この欠除部６６に露出する板部３１に制御回路基板１６が取付けられている。その他の構成及び作用は図１〜７に示した実施の形態と同様であるため、同様の部品については同じ符号を付し、その詳細な説明及び作用効果の説明を省略する。
【００４２】
尚、以上説明した実施の形態では、光源として発光ダイオード１を備える構成としたが、その他、ランプを有する光源であってもよく、光源の構成は特に制限されない。
【００４３】
また、以上説明した実施の形態では、板部３１の長手方向両側に二つの第２補強杆８，８及び第４補強杆９，９を夫々並置し、これら第２補強杆８，８及び第４補強杆９，９の一端部に第３補強杆１０を結合してある構成としたが、その他、第４補強杆９，９をなくした構成としてもよい。
【００４４】
また、以上説明した実施の形態では、電源回路基板１３，端子回路基板１４を支持する台板６を備え、板部３１における欠除部６６に対応する部分に制御回路基板１６を取付けた構成としたが、回路基板の構成は特に制限されない。
【図面の簡単な説明】
【００４５】
【図１】本発明に係る表示装置に組込まれる光源装置の構成を示す背面図である。
【図２】本発明に係る光源装置の台板を取外した状態の構成を示す背面図である。
【図３】本発明に係る光源装置の台板から回路基板を取外した状態の構成を示す背面図である。
【図４】本発明に係る光源装置の要部の構成を示す拡大断面図である。
【図５】本発明に係る光源装置の台板の構成を示す背面図である。
【図６】本発明に係る光源装置の周縁部を省略した状態の拡大背面図である。
【図７】本発明に係る光源装置の要部の構成を示す拡大背面図である。
【図８】本発明に係る光源装置の第２補強杆の構成を示す斜視図である。
【図９】本発明に係る光源装置の光源部分の構成を示す模式的断面図である。
【図１０】本発明に係る光源装置の光源部分の構成を示す模式的断面図である。
【図１１】本発明に係る光源装置の光源の構成を示す模式的説明図である。
【図１２】本発明に係る光源装置を備える表示装置の構成を示す断面図である。
【図１３】本発明に係る光源装置の他の構成を示す背面図である。
【図１４】本発明に係る光源装置の台板の他の構成を示す背面図である。
【符号の説明】
【００４６】
１    発光ダイオード（光源）
３    支持体
３１  板部
６    台板
６６  欠除部
６７  凸条
７    補強杆
８    第２補強杆
１３  電源回路基板（回路基板）
１６  制御回路基板（第２回路基板）
１７  第２台板
４０  表示部
Ａ    光源装置
【図１】
2010073372.tif 000003
【図２】
2010073372.tif 000004
【図３】
2010073372.tif 000005
【図４】
2010073372.tif 000006
【図５】
2010073372.tif 000007
【図６】
2010073372.tif 000008
【図７】
2010073372.tif 000009
【図８】
2010073372.tif 000010
【図９】
2010073372.tif 000011
【図１０】
2010073372.tif 000012
【図１１】
2010073372.tif 000013
【図１２】
2010073372.tif 000014
【図１３】
2010073372.tif 000015
【図１４】
2010073372.tif 000016